(57)【要約】【課題】発色が異なる複数種類の発光体を用いた場合に、一部の種類の発光体を点灯させても均一な配光を得ることができる照明器具を提供する。【解決手段】器具本体２０Ａに設けられている３以上の発光部３０Ａに囲まれた器具本体２０Ａの中央部に、非発光部２２Ａを設けたので、中央部が明るすぎる配光を回避することができる。発光部３０Ａでは、直線状に形成された第１発光体３２および第２発光体３３が、平行に配列される。各発光部３０Ａは、仮想的な角形ＤＧＡを形成するように配置されており、各発光部３０Ａの第１発光体３２および第２発光体３３のうちの一方が、仮想的な角形ＤＧＡの辺部に沿うように配置される。このため、第１発光体３２および第２発光体３３の配置方向が、隣接する発光部３０Ａと異なるので、第１発光体３２および第２発光体３３のうちの一方を点灯させた場合でも、均一の配光を得ることができる。【選択図】図１
2015076323.tif 000002
【特許請求の範囲】
【請求項１】
器具本体と、
前記器具本体に支持される３以上の発光部と、
前記器具本体の中央部に設けられ、前記各発光部に囲まれた非発光部と、を備え、
前記各発光部は、直線状に形成されているとともに互いに平行に配列された第１発光体および第２発光体を有し、
前記各発光部における前記第１発光体および前記第２発光体のうちの一方が仮想的な角形の辺部に沿う照明器具。
【請求項２】
請求項１に記載の照明器具であって、
前記第１発光体および前記第２発光体は、互いに異なる色温度の光を発光する照明器具。
【請求項３】
請求項１または請求項２に記載の照明器具であって、
前記各発光部における前記第１発光体および前記第２発光体のうちの一方が仮想的な矩形の辺部に沿うとともに、
前記各発光部の長手方向寸法および幅方向寸法の比率が３：２である照明器具。
【請求項４】
請求項１ないし請求項３のうちのいずれか１項に記載の照明器具であって、
前記各発光部における前記第１発光体および前記第２発光体のうちの一方が仮想的な矩形の辺部に沿うとともに、
前記各発光部のうち、互いに隣り合う一方の発光部における最外縁部に前記第１発光体が配置され、他方の発光部における最外縁部に前記第２発光体が配置されている照明器具。
【請求項５】
器具本体と、
前記器具本体に支持される第１発光部および第２発光部と、
前記器具本体の中央部に設けられ、前記第１発光部および前記第２発光部に囲まれた非発光部と、を備え、
前記第１発光部および前記第２発光部は、仮想的な同一円弧に沿うとともに互いに平行に配列された第１発光体および第２発光体を有し、
前記第１発光部の最外周に前記第１発光体が配置され、前記第２発光部の最外周に前記第２発光体が配置された照明器具。
【請求項６】
請求項５に記載の照明器具であって、
前記第１発光体および前記第２発光体は、互いに異なる色温度の光を発光する照明器具。
【発明の詳細な説明】
【技術分野】
【０００１】
本発明は、複数の発光部を有する照明器具に関するものである。
【背景技術】
【０００２】
従来、複数の光源部（発光部）を有する照明器具が知られている（例えば、特許文献１参照）。
図７（Ａ）および図７（Ｂ）に示すように、特許文献１に記載の照明器具１００は、例えば、透過形の液晶パネル（図示せず）を後方から照射する照明装置（すなわち、直下式バックライト）である。
【０００３】
照明器具１００は、光源部１０１と、光源部１０１に電力を供給して点灯させる点灯装置（図示省略）と、光源部１０１の後方に配設される反射板１０２とを有する。
光源部１０１は、複数の直管形の放電ランプ１０３を並置して構成される複数の光源ユニット１０４を有する。
光源ユニット１０４は、軸方向において同様な色度変化を示す２つの放電ランプ１０３Ａ、１０３Ｂを有しており、色度の変化が互いに逆向きとなるように並置される。従って、放電ランプ１０３Ａと放電ランプ１０３Ｂとは、同数設けられている。
【０００４】
放電ランプ１０３は、いずれも同規格のものであって、いずれも同様の色度特性（放電ランプ１０３の軸方向における色度の分布、すなわち色むら）、および輝度特性（放電ランプ１０３の軸方向における輝度の分布、すなわち輝度むら）を有している。
例えば、放電ランプ１０３は、軸方向の一端側では青みを帯び、他端側では赤みを帯びるという色度特性を有している。また、軸方向の一端側では、他端側より輝度が強くなるという輝度特性を有している。
【０００５】
点灯装置は、光源ユニット１０４の２つの放電ランプ１０３Ａ、１０３Ｂそれぞれに高電位側と低電位側とが互いに逆方向となる電圧を印加するように設けられている。
また、反射板１０２は、光源ユニット１０４の２つの放電ランプ１０３Ａ、１０３Ｂそれぞれから放射された光を前方に反射する反射部１０５を光源ユニット１０４毎に備える。
【先行技術文献】
【特許文献】
【０００６】
【特許文献１】特開２００８−１５９４８９号公報（第１図）
【発明の概要】
【発明が解決しようとする課題】
【０００７】
ところで、前述した従来の照明器具１００のように複数の発光体（放電ランプ１０３）を用いる場合に、発色が異なる複数種類の発光体を用いる場合がある。
図８に示すように、このような照明器具１０６では、同数の２種類の発光体１０７、１０８を配置する際に、発光体１０７と発光体１０８とを交互にかつ平行に配置することが考えられる。
この場合、全点灯時には均一な配光を得ることができる。
しかし、２種類の発光体１０７、１０８の内の一方の種類の発光体１０７を点灯させると、点灯範囲ＲＡが点灯する。同様に、発光体１０８を点灯させると、点灯範囲ＲＢが点灯する。
このため、一方の発光体１０７（１０８）を点灯させると、配光に偏りが生じるという問題があった。
【０００８】
本発明は、従来の問題を解決するためになされたもので、発色が異なる複数種類の発光体を用いた場合に、一部の種類の発光体を点灯させても均一な配光を得ることができる照明器具を提供することを目的とする。
【課題を解決するための手段】
【０００９】
本発明の照明器具は、器具本体と、前記器具本体に支持される３以上の発光部と、前記器具本体の中央部に設けられ、前記各発光部に囲まれた非発光部と、前記各発光部は、直線状に形成されているとともに互いに平行に配列された第１発光体および第２発光体を有し、前記各発光部における前記第１発光体および前記第２発光体のうちの一方が仮想的な角形の辺部に沿うものである。
【００１０】
また、本発明の照明器具は、前記第１発光体および前記第２発光体は、互いに異なる色温度の光を発光するものである。
【００１１】
また、本発明の照明器具は、前記各発光部における前記第１発光体および前記第２発光体のうちの一方が仮想的な矩形の辺部に沿うとともに、前記各発光部の長手方向寸法および幅方向寸法の比率が３：２であるものである。
【００１２】
さらに、本発明の照明器具は、前記各発光部における前記第１発光体および前記第２発光体のうちの一方が仮想的な矩形の辺部に沿うとともに、前記各発光部のうち、互いに隣り合う一方の発光部における最外縁部に前記第１発光体が配置され、他方の発光部における最外縁部に前記第２発光体が配置されているものである。
【００１３】
また、本発明の照明器具は、器具本体と、前記器具本体に支持される第１発光部および第２発光部と、前記器具本体の中央部に設けられ、前記第１発光部および前記第２発光部に囲まれた非発光部と、を備え、前記第１発光部および前記第２発光部は、仮想的な同一円弧に沿うとともに互いに平行に配列された第１発光体および第２発光体を有し、前記第１発光部の最外周に前記第１発光体が配置され、前記第２発光部の最外周に前記第２発光体が配置されたものである。
【００１４】
さらに、前記第１発光体および前記第２発光体は、互いに異なる色温度の光を発光するものである。
【発明の効果】
【００１５】
本発明は、器具本体に設けられている３以上の発光部に囲まれた器具本体の中央部に、非発光部を設けたので、中央部が明るすぎる配光を回避することができる。また、各発光部の第１発光体および第２発光体のうちの一方が、仮想的な角形の辺部に沿うように配置した。このため、第１発光体および第２発光体の配置方向が、隣接する発光部と異なるので、第１発光体および第２発光体のうちの一方を点灯させた場合でも、均一の配光を得ることができるという効果を有する照明器具を提供できる。
【図面の簡単な説明】
【００１６】
【図１】本発明に係る第１実施形態の照明器具のカバーを外した状態の底面図
【図２】本発明に係る第２実施形態の照明器具のカバーを外した状態の底面図
【図３】本発明に係る第３実施形態の照明器具のカバーを外した状態の底面図
【図４】本発明に係る第４実施形態の照明器具のカバーを外した状態の底面図
【図５】本発明に係る第５実施形態の照明器具のカバーを外した状態の底面図
【図６】本発明に係る第５実施形態の照明器具のカバーを外した変形例の底面図
【図７】（Ａ）は従来の照明器具の一部を示す底面図、（Ｂ）は端面図
【図８】従来の照明器具における問題点を示す底面図
【発明を実施するための形態】
【００１７】
（第１実施形態）
以下、本発明に係る第１実施形態の照明器具について、図面を用いて説明する。
図１に示すように、第１実施形態の照明器具１０Ａは、被取付部である例えば天井面１１等に取り付けて、主に下方を照明するのに用いることができる。
なお、以下の説明においては、照明器具１０Ａの照明方向を下方（下側）と云い、照明方向と反対側を下方（下側）と云うこととする。
【００１８】
照明器具１０Ａは、天井面１１に取り付けられる矩形板状の器具本体２０Ａを有する。
器具本体２０Ａの外周縁は、照明方向である下方にむけて縁板２１が折曲げ形成されており、縁板２１の内側に複数（ここでは、例えば４個）の発光部３０Ａが収容されている。
また、器具本体２０Ａには、発光部３０Ａの下方を覆う透過性のカバー（図示省略）が着脱可能に取り付けられる。
【００１９】
発光部３０Ａは、長方形のベース板３１Ａを有し、ベース板３１Ａの下面には、第１発光体３２および第２発光体３３が同本数（ここでは、２本ずつ）取り付けられる。
ベース板３１Ａの長辺３１１の長さ（長手方向寸法）Ｌ１と短辺３１２の長さ（幅方向寸法）Ｌ２とは異なる長さを有しており、例えば、Ｌ１：Ｌ２＝３：２とすることができる。
器具本体２０Ａに取り付けられる４枚のベース板３１Ａは、器具本体２０Ａの各辺に沿ってベース板３１Ａの長辺３１１と短辺３１２が連続して配置される。
【００２０】
すなわち、図１において器具本体２０Ａの左上に配置される第１発光部３０１（３０Ａ）は、長辺３１１が上下方向に配置され、器具本体２０Ａの左下に配置される第２発光部３０２（３０Ａ）は、長辺３１１が左右方向に配置される。
また、右下に配置される第３発光部３０３（３０Ａ）は、長辺３１１が上下方向に配置され、右上に配置される第４発光部３０４（３０Ａ）は、長辺３１１が左右方向に配置される。
このようにして、長方形のベース板３１Ａが配置されることにより、器具本体２０Ａの中央には、４個の発光部３０Ａによって囲まれた正方形の空隙（非発光部）２２Ａが生じる。
【００２１】
第１発光体３２および第２発光体３３は直線状に形成されており、ベース板３１Ａの下面に着脱可能に取り付けられる。
第１発光体３２および第２発光体３３は、ベース板３１Ａの下面において交互かつ平行に配置される。
また、各発光部３０Ａのうち、互いに隣り合う一方の発光部３０Ａにおける最外縁部と、他方の発光部３０Ａにおける最外縁部には、異なる発光体（第１発光体３２、第２発光体３３）が配置される。
【００２２】
すなわち、第１発光部３０１においては、最外縁部に第１発光体３２が配置され、第１発光部３０１に隣接する第２発光部３０２においては、最外縁部に第２発光体３３が配置される。
また、第２発光部３０２に隣接する第３発光部３０３においては、最外縁部に第１発光体３２が配置され、第３発光部３０３に隣接する第４発光部３０４においては第２発光体３３が配置される。
【００２３】
第１発光体３２および第２発光体３３は、互いに異なる色温度の光を発光する。
また、第１発光体３２および第２発光体３３の少なくとも一方が、長方形のベース板３１Ａの最外縁部に配置される。
すなわち、最外縁部に配置される第１発光体３２１（３２）は、ベース板３１Ａの長辺３１１の近傍において、長辺３１１と平行に配置される。
【００２４】
このように配置された最外縁部の第１発光体３２および第２発光体３３の軸線ＣＬを連続させると、正方形である仮想的な矩形（仮想的な角形）ＤＧＡを形成する。
従って、仮想的な矩形ＤＧＡの辺部に沿って、第１発光体３２または第２発光体３３が配置されることになる。
【００２５】
照明器具１０Ａの作用効果について説明する。
器具本体２０Ａに設けられている４個の発光部３０Ａに囲まれた器具本体２０Ａの中央部に、空隙（非発光部）２２Ａを設けたので、発光体（第１発光体３２、第２発光体３３）が集中して中央部が明るすぎる配光を回避することができる。
発光部３０Ａでは、直線状に形成された第１発光体３２および第２発光体３３が、互いに平行に配列される。各発光部３０Ａは、仮想的な矩形ＤＧＡを形成するように配置されており、各発光部３０Ａの第１発光体３２および第２発光体３３のうちの一方が、仮想的な矩形ＤＧＡの辺部に沿うように配置される。
このため、第１発光体３２および第２発光体３３の配置方向が、隣接する発光部３０Ａと異なるので、第１発光体３２および第２発光体３３のうちの一方を点灯させた場合でも、一方向に偏ることがなく均一の配光を得ることができる。
【００２６】
また、第１発光体３２および第２発光体３３は、互いに異なる色温度の光を発光するので、配光の自由度が増す。
【００２７】
また、各発光部３０Ａの長辺３１１の長さＬ１および短辺３１２の長さＬ２の比率が３：２であり、長さが異なる。
このため、第１発光体３２および第２発光体３３のうちの一方が仮想的な矩形ＤＧＡの辺部に沿うように配置することにより、中央部に空隙２２Ａを設けることができ、中央部が明るすぎる配光を回避することができる。
【００２８】
さらに、各発光部３０Ａのうち、互いに隣り合う一方の発光部３０Ａにおける最外縁部に第１発光体３２が配置され、他方の発光部３０Ａにおける最外縁部に第２発光体３３が配置されており、互いに異なる方向に配置される。
このため、第１発光体３２および第２発光体３３のうちの一方を点灯させた場合でも、一方向に偏ることがなく均一の配光を得ることができる。
【００２９】
（第２実施形態）
次に、第２実施形態の照明器具について説明する。
なお、前述した第１実施形態の照明器具１０Ａと共通する部位には同じ符号を付して、重複する説明を省略することとする。
【００３０】
図２に示すように、第２実施形態の照明器具１０Ｂでは、器具本体２０Ｂは正三角形であり、器具本体２０Ｂの下面に３個の発光部３０Ｂを収容する。
発光部３０Ｂは、底辺と斜辺との成す角θが６０度の台形をしたベース板３１Ｂを有しており、器具本体２０Ｂの下面に３個のベース板３１Ｂが、底辺を外側にして納まる大きさをしている。
このため、器具本体２０Ｂの中央には、３個の発光部３０Ｂ（ベース板３１Ｂ）に囲まれた正三角形の空隙２２Ｂが形成される。
【００３１】
ベース板３１Ｂの下面には、第１発光体３２と第２発光体３３とが、交互かつ平行に配置されている。
第１発光体３２および第２発光体３３は、互いに異なる色温度の光を発光する。
なお、各発光部３０Ｂのうち、互いに隣り合う一方の発光部３０Ｂにおける最外縁部と、他方の発光部３０Ｂにおける最外縁部には、異なる発光体（第１発光体３２、第２発光体３３）を配置するのが望ましい。
ここでは、器具本体２０Ｂに収容される発光部３０Ｂが３個で奇数なので、隣接する両発光部３０Ｂにおいて、最外縁部に同じ発光体（第１発光体３２、第２発光体３３）が配置される箇所が生じる。
すなわち、図２において隣接する左の発光部３０Ｂと右の発光部３０Ｂにおいて、最外縁部に同じ第１発光体３２が配置される。
【００３２】
このように配置された各発光部３０Ｂにおいて最外縁部に配置された第１発光体３２および第２発光体３３の軸線ＣＬを連続させると、仮想的な角形ＤＧＢは正三角形に形成される。
従って、仮想的な角形ＤＧＢの辺部に沿って、第１発光体３２または第２発光体３３が配置されることになる。
【００３３】
このように構成することにより、第１実施形態の照明器具１０Ａと同様の作用・効果を得ることができ、第１発光体３２および第２発光体３３のうちの一方を点灯させた場合でも、一方向に偏ることがなく均一の配光を得ることができる。
【００３４】
（第３実施形態）
次に、第３実施形態の照明器具について説明する。
なお、前述した第１実施形態の照明器具１０Ａおよび第２実施形態の照明器具１０Ｂと共通する部位には同じ符号を付して、重複する説明を省略することとする。
【００３５】
図３に示すように、第３実施形態の照明器具１０Ｃでは、器具本体２０Ｃは正六角形であり、器具本体２０Ｃの下面に６個の発光部３０Ｃを収容する。
発光部３０Ｃは、上辺と斜辺との成す角θが１２０度の台形をしたベース板３１Ｃを有しており、器具本体２０Ｃの下面に６個のベース板３１Ｃが、上辺を外側にして納まる大きさをしている。
このため、器具本体２０Ｃの中央には、６個の発光部３０Ｃ（ベース板３１Ｃ）に囲まれた正六角形の空隙２２Ｃが形成される。
【００３６】
ベース板３１Ｃの下面には、第１発光体３２と第２発光体３３とが、交互かつ平行に配置されている。
第１発光体３２および第２発光体３３は、互いに異なる色温度の光を発光する。
なお、各発光部３０Ｃのうち、互いに隣り合う一方の発光部３０Ｃにおける最外縁部と、他方の発光部３０Ｃにおける最外縁部には、異なる発光体（第１発光体３２、第２発光体３３）を配置する。
ここでは、器具本体２０Ｃに収容される発光部３０Ｃが６個で偶数なので、隣接する両発光部３０Ｃの最外縁部に、第１発光体３２と第２発光体３３を交互に配置する。
【００３７】
このように配置された各発光部３０Ｃにおいて最外縁部に配置された第１発光体３２および第２発光体３３の軸線ＣＬを連続させると、仮想的な角形ＤＧＣは正六角形に形成される。
従って、仮想的な角形ＤＧＣの辺部に沿って、第１発光体３２または第２発光体３３が配置されることになる。
【００３８】
このように構成しても、第１実施形態の照明器具１０Ａおよび第２実施形態の照明器具１０Ｂと同様の作用・効果を得ることができ、一方を点灯させた場合でも、一方向に偏ることがなく均一の配光を得ることができる。
【００３９】
（第４実施形態）
次に、第４実施形態の照明器具について説明する。
なお、前述した第１実施形態の照明器具１０Ａから第３実施形態の照明器具１０Ｃと共通する部位には同じ符号を付して、重複する説明を省略することとする。
【００４０】
図４に示すように、第４実施形態の照明器具１０Ｄでは、器具本体２０Ｄは正方形であり、器具本体２０Ｄの下面に４個の発光部３０Ｄを収容する。
発光部３０Ｄは、Ｌ字形状のベース板３１Ｄを有しており、器具本体２０Ｄの下面に４個のベース板３１Ｄが、納まる大きさをしている。
このため、器具本体２０Ｄの中央には、４個の発光部３０Ｄ（ベース板３１Ｄ）に囲まれた正方形の空隙２２Ｄが形成される。
【００４１】
ベース板３１Ｄの下面には、第１発光体３２と第２発光体３３とが、交互かつ平行に配置されている。
第１発光体３２および第２発光体３３は、互いに異なる色温度の光を発光する。
なお、各発光部３０Ｄのうち、互いに隣り合う一方の発光部３０Ｄにおける最外縁部と、他方の発光部３０Ｄにおける最外縁部には、異なる発光体（第１発光体３２、第２発光体３３）を配置する。
ここでは、器具本体２０Ｄに収容される発光部３０Ｄが４個で偶数なので、隣接する両発光部３０Ｄの最外縁部に、第１発光体３２と第２発光体３３を交互に配置する。
【００４２】
このように配置された各発光部３０Ｄにおいて最外縁部に配置された第１発光体３２および第２発光体３３の軸線ＣＬを連続させると、仮想的な角形ＤＧＤは正方形に形成される。
従って、仮想的な角形ＤＧＤの辺部に沿って、第１発光体３２または第２発光体３３が配置されることになる。
【００４３】
このように構成しても、第１実施形態の照明器具１０Ａ乃至第３実施形態の照明器具１０Ｃと同様の作用・効果を得ることができ、第１発光体３２および第２発光体３３のうちの一方を点灯させた場合でも、一方向に偏ることがなく均一の配光を得ることができる。
【００４４】
（第５実施形態）
次に、第５実施形態の照明器具について説明する。
なお、前述した第１実施形態の照明器具１０Ａから第４実施形態の照明器具１０Ｄと共通する部位には同じ符号を付して、重複する説明を省略することとする。
【００４５】
図５に示すように、第５実施形態の照明器具１０Ｅは、天井面１１に取り付けられる円形板状の器具本体２０Ｅを有する。
器具本体２０Ｅの外周縁は、照明方向である下方にむけて縁板２１が折曲げ形成されており、縁板２１の内側に、第１発光部４１Ａおよび第２発光部４２Ａを有する発光部４０が収容されている。
また、器具本体２０Ｅには、第１発光部４１Ａおよび第２発光部４２Ａの下方を覆う透過性のカバー（図示省略）が着脱可能に取り付けられる。
【００４６】
第１発光部４１Ａおよび第２発光部４２Ａは、同じ半径を有する半円扇形状のベース板４３Ａを有しており、各ベース板４３Ａの下面には、第１発光体４４Ａおよび第２発光体４５Ａが同本数（ここでは、２本ずつ）取り付けられる。
第１発光部４１Ａおよび第２発光部４２Ａを器具本体２０Ｅに収容した状態では、両ベース板４３Ａの間である器具本体２０Ｅの中心位置に、円形の空隙（非発光部）２２Ｅが形成される。
【００４７】
第１発光体４４Ａおよび第２発光体４５Ａは、空隙２２Ｅを中心とした仮想的な同一円弧に沿った形状を呈している。
例えば、第１発光体４４Ａおよび第２発光体４５Ａは、半円弧状をした回路基板４６Ａに、同心円に沿ってＬＥＤ４７を配置して形成することができ、第１発光部４１Ａおよび第２発光部４２Ａを器具本体２０Ｅに取り付けると、ＬＥＤ４７は円形に配置されることとなる。
【００４８】
このとき、第１発光部４１Ａにおいては、最外周に第１発光体４４Ａが配置され、第２発光部４２Ａにおいては、最外周に第２発光体４５Ａが配置される。
そして、最外周から空隙２２Ｅに向かって、第１発光体４４Ａおよび第２発光体４５Ａが交互に配置される。
なお、第１発光体４４Ａおよび第２発光体４５Ａは、互いに異なる色温度の光を発光する。
【００４９】
なお、図６に示すように、第１発光部４１Ｂおよび第２発光部４２Ｂを、半円ではなく、さらに分割（例えば、１／４円）した扇形状で形成することも可能である。
この場合には、ベース板４３Ｂは半円扇形状ではなく、１／４扇形状となり、第１発光体４４Ｂおよび第２発光体４５Ｂの回路基板４６Ｂも半円弧状ではなく、１／４円弧状に形成される。
さらに、第１発光部４１Ｂおよび第２発光部４２Ｂを１／４扇形状に形成した場合には、第１発光部４１Ｂおよび第２発光部４２Ｂを周方向に交互に配置することも可能である。
【００５０】
照明器具１０Ｅの作用効果について説明する。
器具本体２０Ｅに設けられている第１発光部４１Ａおよび第２発光部４２Ａに囲まれた器具本体２０Ｅの中央部に、空隙（非発光部）２２Ｅを設けたので、発光体（第１発光体４４Ａ、第２発光体４５Ａ）が集中して中央部が明るすぎる配光を回避することができる。
発光部４０では、仮想的な円の部分円弧状に形成された第１発光体４４Ａおよび第２発光体４５Ａが、互いに平行に配列される。
このため、第１発光体４４Ａおよび第２発光体４５Ａの配置位置が互いに異なるので、第１発光体４４Ａおよび第２発光体４５Ａのうちの一方を点灯させた場合でも、一方向に偏ることがなく均一の配光を得ることができる。
【００５１】
また、第１発光体４４Ａおよび第２発光体４５Ａは、互いに異なる色温度の光を発光するので、配光の自由度が増す。
【００５２】
本発明の照明器具は、前述した各実施形態に限定されるものでなく、適宜な変形、改良等が可能である。
例えば、前述した各実施形態においては、第１発光体３２および第２発光体３３の２種類の発光体を有する場合を例示したが、本発明は３種類以上の発光体を有する場合にも適用可能である。
特に、器具本体が三角形の場合には、３種類の発光体を用いることにより、隣接する発光部における最外縁部の発光体を異なるように配置できる。
【符号の説明】
【００５３】
１０Ａ、１０Ｂ、１０Ｃ、１０Ｄ、１０Ｅ  照明器具
２０Ａ、２０Ｂ、２０Ｃ、２０Ｄ、２０Ｅ  器具本体
２２Ａ、２２Ｂ、２２Ｃ、２２Ｄ、２２Ｅ  空隙（非発光部）
３０Ａ、３０Ｂ、３０Ｃ、３０Ｄ、４０  発光部
３２、４４Ａ、４４Ｂ  第１発光体
３３、４５Ａ、４５Ｂ  第２発光体
４１Ａ、４１Ｂ、３０２  第１発光部
４２Ａ、４２Ｂ、３０１  第２発光部
ＤＧＡ  仮想的な矩形（仮想的な角形）
ＤＧＢ、ＤＧＣ、ＤＧＤ  仮想的な角形
Ｌ１  長辺の長さ（長手方向寸法）
Ｌ２  短辺の長さ（幅方向寸法）
【図１】
2015076323.tif 000003
【図２】
2015076323.tif 000004
【図３】
2015076323.tif 000005
【図４】
2015076323.tif 000006
【図５】
2015076323.tif 000007
【図６】
2015076323.tif 000008
【図７】
2015076323.tif 000009
【図８】
2015076323.tif 000010